【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
伝送エンベロープ検出器においてスレショルド電圧を制御して通信の許可または遮断を制御する受信装置であって、
受信された第１入力信号の電圧が、スレショルド電圧としての第１スレショルド電圧より大きい場合、第１指示信号を生成する伝送エンベロープ検出器と、
前記第１入力信号を受信し、前記第１指示信号に応答することにより通信が許可される受信器と、を含み、
前記伝送エンベロープ検出器は、前記第１指示信号を生成した後、スレショルド電圧を前記第１スレショルド電圧から第２スレショルド電圧に変更することを特徴とする受信装置。
【請求項２】
受信された第２入力信号の電圧が前記第２スレショルド電圧より低い場合、前記伝送エンベロープ検出器は、第２指示信号を生成し、前記受信器は，前記第２指示信号に応答して受信器の通信を遮断することを特徴とする請求項１に記載の受信装置。
【請求項３】
前記スレショルド電圧が、前記第１スレショルド電圧から前記第２スレショルド電圧に変更された後、前記伝送エンベロープ検出器に供給される電源が遮断される時、前記伝送エンベロープ検出器は、前記スレショルド電圧を前記第２スレショルド電圧から前記第１スレショルド電圧に復元することを特徴とする請求項１に記載の受信装置。
【請求項４】
請求項１ないし請求項３のうち何れか一項に記載の受信装置を含むハードディスクドライブ装置。
【請求項５】
伝送エンベロープ検出器において差動基準信号を制御して通信の許可または遮断を制御する受信装置であって、
通信チャンネルを通じて入力された一対の第１差動入力信号の電圧差が、一対の差動基準信号としての前記差動基準信号の電圧差より大きい場合、第１指示信号を生成する伝送エンベロープ検出器と、
前記第１指示信号に応答して第１制御信号と第２制御信号とを生成するコントローラと、
一対の前記第１差動入力信号を受信し、前記第２制御信号に応答して通信を許可される受信器と、を含み、
前記伝送エンベロープ検出器は、前記第１制御信号に応答して一対の前記差動基準信号の電圧差を増加させることを特徴とする受信装置。
【請求項６】
前記通信チャンネルを通じて入力された一対の第２差動入力信号の電圧差が、増加した一対の差動基準信号の電圧差より小さい場合、前記伝送エンベロープ検出器は第２指示信号を生成し、前記コントローラは前記第２指示信号に応答して第３制御信号を生成し、前記受信器は前記第３制御信号に応答して通信が遮断されることを特徴とする請求項５に記載の受信装置。
【請求項７】
一対の前記差動基準信号の電圧差が増加し、前記伝送エンベロープ検出器に供給される電源が遮断された後、前記伝送エンベロープ検出器は、増加した一対の差動基準信号の電圧差を増加される前の一対の前記差動基準信号の電圧差に復元することを特徴とする請求項５に記載の受信装置。
【請求項８】
請求項５ないし請求項７のうち何れか一項に記載の受信装置を含むハードディスクドライブ装置。
【請求項９】
通信チャンネルを通じてシリアル通信する第１装置と第２装置とを含むシリアル通信システムにおいて、前記第２装置は、
前記通信チャンネルを通じて入力された一対の第１差動信号の電圧差が、シリアル通信の許可または遮断を制御する基準となる一対の差動基準信号の電圧差より大きい場合、第１指示信号を生成する伝送エンベロープ検出器と、
前記通信チャンネルを通じて入力された一対の前記第１差動入力信号を受信し、前記第１指示信号に応答して通信が許可される受信器と、を含み、
前記伝送エンベロープ検出器は、前記第１指示信号を生成した後、一対の前記差動基準信号の電圧差を増加させることを特徴とするシリアル通信システム。
【請求項１０】
前記通信チャンネルを通じて入力された一対の第２差動入力信号の電圧差が、増加した一対の差動基準信号の電圧差より小さい場合、前記伝送エンベロープ検出器は、第２指示信号を生成し、前記受信器は、前記第２指示信号に応答して通信が遮断されることを特徴とする請求項９に記載のシリアル通信システム。
【請求項１１】
通信チャンネルを通じてシリアル通信する第１装置と第２装置とを含むシリアル通信システムにおいて、前記第２装置は、
前記通信チャンネルを通じて入力された一対の第１差動入力信号の電圧差が、シリアル通信の許可または遮断を制御する基準となる差動基準信号の電圧差より大きい場合、第１指示信号を出力する伝送エンベロープ検出器と、
前記第１指示信号に応答して第１制御信号と第２制御信号とを生成するコントローラと、
前記通信チャンネルを通じて入力された一対の前記第１差動入力信号を受信し、前記第２制御信号に応答して通信が許可される受信器と、を含み、
前記伝送エンベロープ検出器は、前記第１制御信号に応答して一対の前記差動基準信号の電圧差を増加させることを特徴とするシリアル通信システム。
【請求項１２】
前記通信チャンネルを通じて入力された一対の第２差動入力信号の電圧差が、増加した前記差動基準信号の電圧差より小さい場合、前記伝送エンベロープ検出器は、第２指示信号を生成し、前記コントローラは、前記第２指示信号に応答して第３制御信号を生成し、前記受信器は、前記第３制御信号に応答して通信が遮断されることを特徴とする請求項１１に記載のシリアル通信システム。
【請求項１３】
前記伝送エンベロープ検出器に供給される電源が遮断された後、前記伝送エンベロープ検出器は、増加した一対の前記差動基準信号の電圧差を増加する前の一対の前記差動基準信号の電圧差に復元することを特徴とする請求項１１に記載のシリアル通信システム。
【請求項１４】
前記シリアル通信システムは、コンピュータシステムを含むことを特徴とする請求項１１ないし１３のうち何れか一項に記載のシリアル通信システム。
【請求項１５】
伝送エンベロープ検出器において差動基準信号を制御して通信の許可または遮断を制御するシリアル通信装置であって、
通信チャンネルを通じて互いにシリアル通信する複数のユニットと、
受信された一対の第１差動入力信号の電圧差が、一対の前記差動基準信号の電圧差より大きい場合、指示信号を生成するために前記複数のユニットのうちの少なくとも一つに配された伝送エンベロープ検出器と、
前記指示信号に応答して一つまたはそれ以上の制御信号を生成するコントローラと、を含み、
前記伝送エンベロープ検出器は、前記一つまたはそれ以上の制御信号に応答して前記差動基準信号の電圧差を増加させることを特徴とするシリアル通信装置。
【請求項１６】
伝送エンベロープ検出器においてスレショルド電圧を制御して通信の許可または遮断を制御するシリアル通信装置であって、
複数の所定のスレショルド電圧を有する伝送エンベロープ検出器を含む第１ユニットと、
前記第１ユニットと第２ユニットとの間のシリアル通信を提供するためにスケルチ状態及びアンスケルチ状態を有する通信チャンネルと、
前記通信チャンネルがアンスケルチ状態であり、前記第１ユニットと前記第２ユニットとの間の前記シリアル通信が初期化された後、前記複数の所定のスレショルド電圧のうち一つまたはそれ以上の電圧を変化させるコントローラと、を含むことを特徴とするシリアル通信装置。
【請求項１７】
前記通信チャンネルのアンスケルチ状態は、前記通信チャンネルを通じて前記伝送エンベロープ検出器によって受信された一対の差動信号の電圧差が、前記伝送エンベロープ検出器の前記複数の所定のスレショルド電圧のうち一対のスレッショルド電圧の差より大きい場合であることを特徴とする請求項１６に記載のシリアル通信装置。
【手続補正２】
【補正対象書類名】明細書
【補正対象項目名】発明の名称
【補正方法】変更
【補正の内容】
【発明の名称】伝送エンベロープ検出器のスレショルド電圧調節方法を利用した装置
【手続補正３】
【補正対象書類名】明細書
【補正対象項目名】０００１
【補正方法】変更
【補正の内容】
【０００１】
本発明の一般的発明概念（ｇｅｎｅｒａｌ  ｉｎｖｅｎｔｉｖｅ  ｃｏｎｃｅｐｔ）は、スレショルド電圧制御（ｔｈｒｅｓｈｏｌｄ  ｖｏｌｔａｇｅ  ｃｏｎｔｒｏｌ）に係り、特に、シリアル通信途中に伝送エンベロープ検出器のスレショルド電圧（ｔｈｒｅｓｈｏｌｄ  ｖｏｌｔａｇｅｓ）を調節する方法が適用された装置に関する。
【手続補正４】
【補正対象書類名】明細書
【補正対象項目名】００１５
【補正方法】変更
【補正の内容】
【００１５】
発明が果たそうとする技術的な課題は、ノイズに対する兔疫性（イミュニティ；ｉｍｍｕｎｉｔｙ）を高めるためにシリアル通信中に伝送エンベロープ検出器のスレショルド電圧を変更できる方法を使用できる装置を提供することである。